(57)【要約】【解決手段】装飾アレンジメントを作る方法であり、濡れた泡体を提供する工程と、例えば生の花又は他の生の植物、ドライフラワー又は他の乾燥した植物、人工花又は他の人工植物及び更なる装飾から成る複数の装飾要素を取り付ける工程とを有する。多数の装飾要素は、濡れた泡体に取り付けられ、濡れた泡体は、続いて乾かされる。濡れた泡体は剥離面又は支持構造に適用される。所望ならば、装飾アレンジメントの一部は濡れた泡体を連続的に加えることによって作られ得る。濡れた泡体は、半固化した後に、装飾要素が設置される塊状部を提供するように形作られる。成形し、半固化する前に、水をその上に吹き付けることにより、泡の表面は湿れ、その後、水がその上に噴霧される場合がある。更に、道具を用いて、塊状部の表面にカット又は凹みを設置し、塊状部の塗装部分に噴霧し、或いはそれらを組み合わせる装飾工程が続く。別の実施例では、濡れた泡体は、濡らされ又は濡らされることなく、予備成形された硬化発泡体である予備成形された発泡体と組み合わせれて装飾要素に対して用いられる。【選択図】図１
2007529335.tif 000002
【特許請求の範囲】
【請求項１】
装飾アレンジメントを作る方法であって、
濡れた泡体を提供する工程と、
濡れた泡体の一部を成形して塊状部を作る工程と、
塊状部を形作る工程と、
複数の装飾要素を塊状部に取り付け、続いて該塊状部を乾燥して、硬化発泡体に変える工程と、
濡れた泡体を硬化発泡体に変える前に、濡れた泡体を予備成形された硬化発泡体の上に支持する工程を有する方法。
【請求項２】
予備成形された硬化発泡体に対して、支持する基礎を成す支持容器を設置する、請求項１に記載の方法。
【請求項３】
装飾要素の一部を予備成形された硬化発泡体に導入する前に、該予備成形された硬化発泡体を濡らす工程を有する、請求項２に記載の方法。
【請求項４】
予備成形された硬化発泡体を支持する容器として、半透明又は透明な容器を用いる、請求項１に記載の方法。
【請求項５】
装飾要素の少なくとも幾つかの一部を、予備成形された硬化発泡体に導入する工程を有する、請求項１に記載の方法。
【請求項６】
容器に水を供給する工程と、
生の装飾要素の一部を水に導入する工程を有する、請求項２に記載の方法。
【請求項７】
予備成形された硬化発泡体を支持する透明な容器を配備する工程を有する、請求項１に記載の方法。
【請求項８】
濡れた泡体を複数の異なる色に色付ける工程を有する、請求項７に記載の方法。
【請求項９】
装飾アレンジメントをアイスクリームサンデーのように見えるようにする、請求項８に記載の方法。
【請求項１０】
支持する容器を基礎とせずに、予備成形された硬化発泡体を用いる工程を有する、請求項１に記載の方法。
【請求項１１】
装飾要素の少なくとも幾つかを、濡れた泡体及び予備成形された硬化発泡体の両方に突き刺す工程を有する、請求項１に記載の方法。
【請求項１２】
予備成形された硬化発泡体は、水が内部を流れることを許す、請求項１１に記載の方法。
【請求項１３】
塊状部を完全に乾かす前に、連続的に装飾要素の少なくとも幾つかの一部を、塊状部に加えることによって、装飾アレンジメントを作る工程を有する、請求項１に記載の方法。
【請求項１４】
装飾要素の少なくとも一部を塊状部の表面に取り付けることによって、装飾要素を取り付ける工程を有する、請求項１に記載の方法。
【請求項１５】
一部を成形する前に泡を濡らす工程を有する、請求項１に記載の方法。
【請求項１６】
濡れた泡体を完全に乾かす前に、濡れた泡体を支持構造に取り付ける工程がある、請求項１に記載の方法。
【請求項１７】
濡れた泡体の少なくとも一部を支持構造に配備する工程を有し、支持構造は予備成形された硬化発泡体である、請求項１に記載の方法。
【請求項１８】
後に続く乾燥の前に、塊状部を濡らす工程を有する、請求項１２に記載の方法。
【請求項１９】
生きた植物、乾燥植物及び人工植物から成るグループから少なくとも１つの要素を有する装飾要素の幾つかを用いる工程がある、請求項１４に記載の方法。
【請求項２０】
乾燥すると固まる濡れた泡体を泡として用いる工程がある、請求項１に記載の方法。
【請求項２１】
ポリウレタン及びラテックスフォームからなるグループから選択される泡を濡れた泡体として用いる工程がある、請求項２０に記載の方法。
【請求項２２】
エアゾール容器から濡れた泡体を施す工程がある、請求項２０に記載の方法。
【請求項２３】
濡れた泡体を約６０°Ｆ−１００°Ｆの温度で少なくとも３０分乾燥する工程を有する、請求項２２に記載の方法。
【請求項２４】
濡れた泡体に装飾要素を加えた後に、更に濡れた泡体を加え、更なる装飾要素を加える、請求項１に記載の方法。
【請求項２５】
塊状部を装飾アレンジメントの中に位置決めして、該塊状部を容易に見える位置に保持する工程を有する、請求項１に記載の方法。
【発明の詳細な説明】
【背景技術】
【０００１】
関連出願の相互参照
本願は、２００２年１０月３日に出願された発明の名称が"装飾アレンジメントを作る方法"である米国仮出願第60/415,663号の利益を主張している、２００３年９月２６日に出願された発明の名称が"装飾アレンジメントを作る方法"である米国特許出願第10/672,449号の一部継続出願である。
【０００２】
１．発明の分野
本発明は、最初に濡れた泡体の中に形成され、その後乾かして複数の装飾要素がしっかりと保持される硬化発泡体を形成する装飾アレンジメントを作る方法に関する。
【０００３】
２．先行技術の記載
花のビジネスでは、種々の装飾物をアレンジすることが一般的であり、(a)例えば、シダなどの鮮花あるいは他の新鮮な植物、又は(b)ドライフラワーあるいは他のタイプの乾燥植物、又は(c)造花あるいは他のタイプの人工植物から成り、更なる装飾物を含め、又は含めないものから成る。これらの種々の組み合わせも知られている。
それは建物内、及び玄関とテラスの装飾の目的に提供されることが知られており、適切な容器中の土の中で組み合わされた、生きた植物を結合することは”皿庭”として知られている。生きた植物を切ってアレンジすることも知られているが、花の寿命は限られたものとなる。そのようなアレンジメントは、水が入った適切な花瓶の中で切り花を生けるのと同様に簡単である。
【０００４】
装飾物をアレンジする際に、実際のあるいは人工の花あるいは植物、又はそれらの組み合わせの相対的な位置決めを容易にする手段として、予備成形された硬化樹脂の発泡体を用いることも知られている。
例えば、発泡スチロールなどの硬化発泡体の使用に関して遭遇する問題の中には、発泡体あるいは茎を壊さずに、発泡体に花の茎を挿入することが難しいという問題がある。
下端部に爪状の鋭い基端部を持っているピックを用いて硬化発泡体を突き刺し、及び花を受け入れる為に上面が開口した容器を用いることもまた知られている。
そのような硬化発泡体を用いるアレンジに関する更なる問題は、壊れやすい花を損傷させることなく、発泡体に挿入することができないという事実である。例えば、アジサイ又はコゴメナデシコをそのような樹脂に用いることは困難である。これができない故に、アレンジメントに於ける芸術的な創造性及び美的な利点が制限されている。
【０００５】
さらに、発泡体に鮮花を挿したまま、水に浸けることができる予備成形された硬化発泡体も知られている。この目的にふさわしい製品は商標表示Ultrafoam又はOasisの名で売られている。
ワイヤフレームを用いて、装飾物を固定し、上記のあらゆる材料から花輪をつくる方法も知られている。そのようなアレンジメントについての問題は、それが非常に労働集約型の手間仕事であるということである。
そのような花輪は、しばしば花輪フレーム部の内に硬化発泡体を供給し、その硬化発泡体に花輪の構成部品を挿入することにより頻繁に作成される。さらに、ホットメルト接着剤を使用して、フレームに装飾部を固定させる方法も知られている。同様に、花飾りを作るにあたっては、前述の多数の困難さに直面することになるとともに、細々とした労働集約型の作業が必要なために、比較的コストがかさみ、アレンジメントを作るのに、相当時間がかかることになる。
人工植物を、容器の大きな底面上に提供するにあたって、ポット内の植物の位置を安定させる目的から、容器の中に発泡体と場合によっては砂利等の他の材料を導入する方法が知られている。
【０００６】
米国特許第5,235,780号は、生の植物を支持するフレームを示す。ドイツ特許3042429号は、ケースに注入されるウレタンフォームである硬化発泡ブロックで満たされた花瓶を開示している。
植物、小枝および他の要素は発泡体内に固定されることになる。そのような発泡体に関する問題の１つは、例えば、コゴメナデシコのような壊れやすい植物の多くに対しては、植物の茎を保護する中空のピックを用いて発泡体に挿入することが必要であることである。
フランス特許第2454752号は、補強のために挿入されたピンを有する硬化可能な素材を容器内に設置することを開示している。素材を柔らかい状態に維持すべく、フィルムが全面に配備される。フィルムを除去すれば、乾燥するまでの間、花の茎及び同様の品を、材料内に挿入することができると述べられている。素材は容器内に位置して複数の花が材料を隠すため、さほど目立たない。
【０００７】
フランス特許第2693092号は、まず化学的な発泡体を成型し、その後、湿った石膏の槽に浸すことで、その周囲を被覆する工程を開示している。装飾の目的から植物素材がその中に設置される種々の形式の花瓶が提供されることが知られている。
従って、残された課題は、簡単に且つ効果的に装飾アレンジメントを作る手法という、きわめて現実的且つ実質的なニーズに応えることである。
【発明の開示】
【０００８】
発明の要約
本発明は、装飾アレンジメントを素早く且つコスト的に有効に作る方法を提供することにより、上記の問題を解決する。方法は、塊状部を形成するように部分的に固化できる濡れた泡体を提供し、複数の装飾要素が取り付けられて、続いて塊状部を完全に成型する工程を有する。塊状部は装飾のアレンジに於いて、よく見える位置にあると想定するのが好ましい。装飾要素を挿入する前の濡れた泡体は、その上に水が吹き付けられて濡れる。発泡体が部分的に固化した後に、その上から水を吹き付けることによっても濡れる。半固化した濡れた泡体、即ち塊状部は、装飾要素の挿入前に、所望の構成に形作られ、成形後に切込み又は孔を設けることにより、物理的に装飾的な変化を施すことがある。更に装飾効果を付与するために、スプレーペインティングなどによって、所望の箇所に塗装を施すこともできる。
一実施例に於いて、装飾アレンジメントは支持構造の上に作られ、花輪用のワイヤフレーム又は他の支持構造のような支持構造は装飾アレンジメントの一部となる。他の実施例に於いては、そのような支持構造はなく、発泡体に粘着しない剥離面が用いられる。
濡れた泡体は、該濡れた泡体内の装飾要素を位置決めし固定することができ、その後乾燥して装飾要素を所望の配列に保持する硬化発泡体となるように、十分な粘性を有するのが好ましい。
【０００９】
好ましい発泡体の中には、ポリウレタン及びラテックス発泡体があり、これらはエアゾール容器内に収納されるのに好都合である。
本発明の目的は、装飾アレンジメントを素早く形成する一方、支持する泡及び装飾要素への不用意な損傷を防ぐ(resist)改善された方法を提供することにある。
本発明の目的はまた、本発明の装飾アレンジメントを作成する際に、予備成形された硬化発泡体と濡れた泡体とを組み合わせて用いることである。
本発明の更なる目的は、広範な装飾要素が支持構造と共に、又は支持構造無しに、種々の形状にて取り付けられる方法を提供することである。
本発明の更なる目的は、当業者又は準当業者(semiskilled)が装飾アレンジメントの製作にかかる時間を短くし、それによって従来のものに比較して利益があがり、より廉価で販売することを可能とすることにある。
【００１０】
本発明の更なる目的は、装飾アレンジメントを連続的に作ることを容易にする方法を提供することである。
本発明の他の目的は、支持する濡れた泡体内に複数の装飾要素を自由に位置決めし、該装飾要素を硬化発泡体にしっかりと支持する方法を提供することにある。
本発明のこれらの及び他の目的は、ここに添付した図面に基づいて、発明の以下の記載から十分に理解されるだろう。
【発明を実施するための最良の形態】
【００１１】
好ましい実施例の説明
図１及び本発明の方法の好ましい実施例を参照すると、濡れた泡体が剥離面に付けられ(２)、その後、水などの液体が泡の表面に吹き付けられる(４)。発泡体は次に、半硬化され、常温又は高温環境内にて乾燥された後に、成形される(６)。続いて、水などの液体が発泡体表面上にスプレーされる(８)。部分的に硬化した発泡体をここでは“塊状部”と定義する。塊状部を全て成形する前又はその後の何れかに、切込み又は凹部を設ける、装飾要素を付加する、又は塊状部の表面のペイント部にスプレーするなどの方法によって、表面(10)を装飾することができる。
装飾要素(12)(それらは生きた植物、乾燥植物、人工植物或いは花又は他の装飾要素であり得る)は、塊状部を完全に成形する前に塊状部に挿入される。続いて、所望の装飾を付加して、成形が全て完成する(14)。
ここに使用される”装飾要素”は次のグループから選ばれた要素を意味する:
(a)、生きた花又は他の生きた植物、又は(b)ドライフラワー或いは他の乾燥した植物、又は(c)造花又は他の人工植物。
【００１２】
用語”更なる装飾”はあらゆる所望の追加的装飾要素を意味し、カテゴリー(a)(b)(c)に入るような物でもあり得るし、又はリボン、クリスマス用の装飾、装飾要素用の容器、或いは装飾的である又は装飾的であり得る他の要素などの独立物に入ってもよい。
ここで使用される”濡れた泡体”は装飾アレンジメント用の装飾要素を受け入れ、乾燥して硬化発泡体になる湿った樹脂質の泡を意味する。
ここに使用される用語”花輪”は、略環状に形成された装飾アレンジメントを意味し、ワイヤ支持、又は泡を支持するものとは別の支持が内在するか否かを問わない。
ここに使用される用語”予備成形された硬化発泡体”は、例えば商標”Ultrafoam”又は”オアシス”で販売されるような所定の形状を有する予備成形された硬化発泡体を指し、これは用いられる濡れた泡体である材料と組み合わせて本発明の方法に用いられる。
ここに使用される用語”花飾り”は、長く延びた装飾アレンジメントを意味し、発泡体による支持とは別に、支持構造が内在するか否かを問わない。
【００１３】
一般に本発明の方法は、生成される濡れた泡体及び硬化発泡体に対して、くっつかない剥離面上にて実施される。この目的を達成するのに便利な方法は、ワークテーブル面(泡に対して一般にくっつかない)を提供するか、又はそのような剥離特性があるプラスチックフィルム又は紙を使用するかの何れかである。発泡体はまた、装飾アレンジメントの一部となる支持構造に対して用いられることもある。
好ましい濡れた泡体の素材には、エアゾール容器から都合良く施されることができるウレタンフォームおよびラテックスフォームがある。適切なウレタンフォームはダウ・ケミカル会社によって、商標”グレートスタッフ”で販売されており、及び、ミズーリ州のコンビーニエンスプロダクトオブフェントン社の”タッチンフォーム”として販売されている。
【００１４】
濡れた泡体が半固化するとき、即ち固化して塊状部になるとき、外面に薄皮が形成され、それによって外部装飾が容易になり、支持力が増加する。図２について、適切な剥離フィルム(20)が示され、それは泡体が剥離フィルムに粘着するのを防ぐと共に、濡れた泡体に所望の支持力を付与する(この図には示されていない)。
図３に於いて、元々剥離特性がない別のフィルム(26)が用いられて、適切な容器から剥離剤(27)がその上に塗布される。
【００１５】
次に、図４に示すように、濡れた泡体(30)が、適切なエアゾール容器(32)からフィルムの表面(20)に塗布される。この濡れたフィルムは、部分的に固化すると塊状部となり、形を作ることができるようになり、また装飾要素を受け入れることができるようになるだろう。図５及び図６に示されるように、容器(40)には剥離フィルム(42)が設けられ、該剥離フィルムは容器の外部にはみ出した部分、及びエアゾール容器(52)から塗布された剥離剤(50)を受け入れるべく容器内に配置された部分がある。図７に示されるように、剥離フィルムが適切な位置に配備された後、特定の仕事に必要とされるだけの濡れた泡体(60)がエアゾール容器(62)から塗布される。
濡れた泡体(30)を図４に示すように、フィルム(20)の表面に塗布するか、又は図８に示すような容器内に塗布するかにかかわらず、図９に示すように、水(64)などの液体が塊状部(66)に吹き付けられることは好ましい。
これによって、表面の固化を促し、滑らかな皮表面を形成することを助け、後に塗装などによって装飾することができるようになる。同様に塊状部の表面生地を別の状態にすることもできる。
アセトンのような他の液体を使用すれば、塊状部上に別の表面生地を形成することができる。固化するまでの間に、少なくとも１回以上、そのような吹きつけがされることが判るだろう。塊状部に装飾要素を挿入する前に、塊状部に吹き付けがされることが好ましい。
一般に塊状部を形作るのは、濡れた泡体が塗布された後、約８−１０分が好ましい。水などの液体の吹き付けは、塊状部の形作りの後であっても、形作りの前であっても構わない。
【００１６】
図１０は、少なくとも一部が固化した塊状部(70)に、ナイフ(80)によって装飾用凹部(72)(74)(76)(78)が設けられる様子を示している。
本発明の特徴の１つは、従来の多数のシステムに比して、装飾アレンジメント内の見られ易い箇所に位置して、十分に魅力的な塊状部を提供することである。従来のシステムでは、硬質プラスチック発泡体がもっぱら装飾要素の保持の目的のみに対して使用され、本質的に完全に容器、又は装飾要素、又はその双方によって視界から完全に隠れていた。
図１１に示すように、支持部材(80)は、多くの装飾要素(84)(86)(88)(90)(92)(94)が配備されている不規則な形状の塊状部(82)に覆われ、取り付けられる。これらは生きた植物、又は乾燥植物、人工植物あるいは他の所望の要素であり得る。複数のスロット(100)(102)が装飾効果から塊状部の上面内に設けられる。
図１２に示すように、塊状部(110)の表面(112)には、エアゾール噴霧容器(114)からの装飾的塗料にて覆われる部分がある。スプレー塗装は、濡れた泡体が施された後に、８−１２分以内に実施される。
【００１７】
図１３について、１対の装飾要素(124)(126)、長く延びた装飾ワイヤー、即ち糸状部材(130)を有する塊状部(120)が示され、糸状部材(130)は塊状部(120)が完全に硬化、又は略完全に硬化した後に、塊状部の周りを包む。
塊状部を飾る別の方法は、プロパン・トーチを使用して、焦げ目効果か木製の効果を作成することである。これは半固化した後に行うこともできるが、完全に固化した後に行われるのが好ましい。図１４に示すように、トーチ(130)が塊状部(136)の表面へ炎(132)を噴射するのに用いられる。また、ナイフ(140)によって、塊状部の表面へ切欠き(142)(144)(146)(148)が設けられる。
【００１８】
図１５について、塊状部(160)は水(164)が入った透明なボウル(162)に被さり、ボウルに支持される。塊状部はよく目立ち、魅力的な装飾アレンジメントの不可欠な部分を形成する。塊状部には生きた植物、乾燥植物又は人工植物である１対の装飾要素(170)(172)(174)がある。さらに、水(164)に入る根(186)(188)を夫々有する１対の生の植物(180)(182)を含む。
本発明の方法が、装飾アレンジメントを連続して作成するために用いられ得ることが、判るだろう。例えば、最初に装飾要素に関する部分の発泡体を作り、続いて更なる泡領域を支持構造上に形成し、装飾を施すことができる。更に、泡部分が固化した後に、更なる濡れた泡体をその上に配置して、別の装飾要素を重ねてもよい。
ここでは、濡れた泡体を常温で乾かして、硬化発泡体にすることが記載されてきたが、装飾アレンジメントは温度が約６０°Ｆ−１００°Ｆの環境下で形成され、乾燥は約４時間で行われ、十分に乾燥させるのに約４時間かけるのが好ましい。ここでの参照の便宜上、乾燥が、常温で生じようと、高めた温度で達成されようと、濡れた泡体の乾燥として言及される。
【００１９】
支持構造が装飾アレンジメントの一部として用いられるならば、一般的には強度と保護の為におおよそ硬化しており、結果として硬化発泡体になる。
図１６乃至図１９に示す実施例、及び本発明の別の実施例について、装飾アレンジメント内が見られることを所望するならば、容器(200)は透明又は半透明であっても構わず、同様に不透明であってもよい。容器はガラス、合成樹脂、セラミック又は他のあらゆる望ましい材料のような任意の適切な材料で作られている。
本実施例では、予備成形された硬化発泡体で実行されるのが好ましい支持構造(202)には、濡れた泡体(206)がその上に塗布されているが、その後に装飾要素(210)(212)(214)(216)(218)の茎が濡れた泡体(206)に挿入されて、装飾アレンジメントが完成する。所望ならば、予備成形された発泡体は、濡れた泡体(206)を加える前に、水を加えること等によって濡らされる。図１７乃至図１９に示す完成状態の(final)アレンジメントは、透明な容器(200)を有し、内部の所望レベル(221)めで注がれた水(220)には、生きた装飾要素(230)(232)(234)(236)の茎の下端部が中に延びており、水を供給し、所望ならば栄養分を供給している。人工的な装飾要素(248)(250)(252)は濡れた泡体(206)内に留まっているが、濡れた泡体(206)を通って硬化発泡体(202)内に延びてもよい。濡れた泡体(206)及び予備成形された硬化発泡体(202)を濡らす目的から、水がアレイに与えられる。或いは、容器(200)から硬化発泡体(202)を持ち上げて、水(220)を交換することができる。造花(252)も硬化発泡体(202)へ導入される。
【００２０】
図２０に示す実施例について、基端部(262)及び上向きに傾いた環状の壁(264)を有するデザートタイプの容器(260)が示される。本実施例の中で、複数の層(270)(272)(274)(276)に種々の異なる色が付されており、予備成形された硬化発泡体(280)は、その上に被さる予備成形された硬化発泡体(282)と交換されてもよいし、予備成形された硬化発泡体(282)に被さる濡れた泡体の層(284)はその周りにある濡れた泡体(290)(292)の装飾部に交換されてもよい。デザートらしく(dessert simulation)見せるべく、人工のサクランボ(300)及び一対の実際又は人工の花(302)(304)がストロー(305)ともに用いられる。以前にここに引用したUltrafoam又はOasisタイプの材料について従来からあるように、花(302)(304)が鮮花である場合、予備成形された硬化発泡体(282)は、花(302)(304)を保持するように用いる前に、水に浸けられているのが好ましい。
【００２１】
図２１について、外壁(336)(338)(340)及び対応する４番目の壁(図示せず)を有する硬化発泡体ブロック(330)が、装飾アレンジメントの支えを補強している本発明の更なる実施例がある。本実施例に於いて、木の枝(340)は、容器(330)の上から見える上端部と、硬化発泡体(330)を通り抜ける下端部(342)がある。
竹である更なる装飾要素(334)は、例えば、支持構造を通って延び、更なる装飾要素(350)は下向きに延びる部分(352)を有する。苔状の装飾要素(354)も示される。苔状の装飾要素は、装飾要素に水、所望ならば栄養素を供給するように、水の容器に重なる箇所に位置すると考えられる。硬化発泡体(330)は、図１６乃至図２１に示すような別個の容器を用いずに、全部又は一部が濡れた泡体(360)に受け入れられた装飾要素を支持するものとして提供されることが判るだろう。
このように、本発明は装飾要素の大多数がそこに取り付けられ、その後に発泡体が乾燥し硬化発泡体となることで、所望の構成及び所望の見映えとなるように固定する濡れた泡体を使用することにより、装飾アレンジメントの広範な配置を形成する迅速且つ有効な手段を提供し、様々な装飾アレンジメントを迅速且つ有効に製作する有効な手段を提供することが理解されるだろう。
他の実施例では、濡れた泡体のアレンジを助ける予備成形された硬化発泡体が提供され得る。
発明の特定の実施例が実証の目的から、ここに記載されてきたが、添付の請求の範囲で述べられるような発明から外れることなく、種々の変更がなされることは当業者ならば判るだろう。
【図面の簡単な説明】
【００２２】
【図１】本発明の方法の実施例を示すフロー図である。
【図２】本発明の方法の一実施例に用いられる剥離可能なフィルムを示す図である。
【図３】フィルムに剥離剤を吹きかける工程を示す図である。
【図４】エアゾールスプレーを用いて、濡れた泡体をフィルムに付ける工程を示す図である。
【図５】濡れた泡体を受ける支持を有する容器を示す図である。
【図６】容器に被さったフィルムを示す。
【図７】剥離剤をフィルムに付ける状態を示す図である。
【図８】濡れた泡体を剥離可能なフィルムに付けるエアゾールを示す図である。
【図９】適切なスプレーにて、濡れた泡体又は塊状部の表面を濡らす工程を示す図である。
【図１０】成形工具によって塊状部の表面に装飾アレンジメントを提供する方法を示す図である。
【図１１】複数の装飾要素が取り付けられた塊状部を示す図である。
【図１２】装飾効果を高めるべく塊状部の表面の一部をスプレーで描く工程を示す図である。
【図１３】塊状部の外周の装飾要素を包む工程を示す図である。
【図１４】切込みに沿って付けられる装飾的な吹き付け塗装を有する塊状部を示す図である。
【図１５】視認性がよく、生の植物材を有する装飾アレンジメントを示す図である。
【図１６】本発明の他の実施例の方法にて組み立てられる一群の要素を示す分解図である。
【図１７】本発明の実施例の側面図である。
【図１８】図１７に示す構造の底面図である。
【図１９】図１７に示す構造の平面図である。
【図２０】本発明の他の方法によって、作られる配列の正面図である。
【図２１】本発明の他の実施例を更に成形した仕様を示す。
【図１】
2007529335.tif 000003
【図２】
2007529335.tif 000004
【図３】
2007529335.tif 000005
【図４】
2007529335.tif 000006
【図５】
2007529335.tif 000007
【図６】
2007529335.tif 000008
【図７】
2007529335.tif 000009
【図８】
2007529335.tif 000010
【図９】
2007529335.tif 000011
【図１０】
2007529335.tif 000012
【図１１】
2007529335.tif 000013
【図１２】
2007529335.tif 000014
【図１３】
2007529335.tif 000015
【図１４】
2007529335.tif 000016
【図１５】
2007529335.tif 000017
【図１６】
2007529335.tif 000018
【図１７】
2007529335.tif 000019
【図１８】
2007529335.tif 000020
【図１９】
2007529335.tif 000021
【図２０】
2007529335.tif 000022
【図２１】
2007529335.tif 000023
【国際調査報告】
2007529335.tif 000024